(57)【特許請求の範囲】
【請求項１】
積層フィルムを筒状に湾曲して両側端部をオーバーラップさせて重ね合わせた縦シール部と、上記縦シール部の長手方向両端部のそれぞれ交差して形成された横シール部を有する三方シール袋に被充填物が充填された充填包装体において、
上記積層フィルムは、水分感受性酸素バリア樹脂に酸化可能なポリジエンと金属塩触媒を含む酸素吸収層、及び上記酸素吸収層の外側に剛性樹脂層を内側に芳香バリア特性を備えたガスバリア層を有する延伸された基材フィルムを共押出しのキャスチングにて構成し、上記基材フィルムの裏面に印刷を付した後、基材フィルムとシーラントフィルムとをドライラミネーションにて接着して、最内層にシーラント層を有することを特徴とする充填包装体。
【発明の詳細な説明】
【技術分野】
【０００１】
本発明は、酸素吸収層と剛性樹脂層による積層フィルムからなる充填包装体であって、酸素吸収性に優れ、かつ剛性が維持されるとともに、酸素吸収層で副生成物が発生しても発生臭の成分が内部の食品等の収納物に移行することがない充填包装体に関するものである。
【背景技術】
【０００２】
実開昭６４−５３０７５号公報には、積層フィルムを筒状に湾曲して両側縁部をオーバーラップさせて重ね合わせ部を形成し、外面側の側縁部につまみ片となる帯状の非シール部を残した状態で複数の易開封性シールによる縦シール部を略平行に形成し、ペースト状食品等の粘稠性液体を充填したのち、長手方向両端にそれぞれ易開封性シールによる横シール部を形成したものが記載されている。
【０００３】
また、特表２００４−５２７３９５公報には、超高酸素バリアフィルムが記載されており、高い酸素バリア性を有する積層体については、特開平６−１１５５６９号公報に記載がある。
【０００４】
上記特表２００４−５２７３９５公報または特開平６−１１５５６９号公報に開示されたフィルムは、酸素吸収層の記載はあるものの充填包装体の課題及びその課題を解決する着想についての記載はない。
【特許文献１】実開昭６４−５３０７５号公報
【特許文献２】特表２００４−５２７３９５公報
【特許文献３】特開平６−１１５５６９号公報
【発明の開示】
【発明が解決しようとする課題】
【０００５】
上記特許文献１に開示されている充填用の包装体にあっては、被充填物を充填した際、ヘッドスペースにどうしても数パーセントの空気が入ることは避けがたいが、気体を窒素置換させても酸素をすべて取り除くことは困難であるので、内部に残留する酸素による酸化劣敗を抑制する必要がある。
【０００６】
しかし、酸素バリア樹脂のみで酸化劣敗を防ごうとすると樹脂が厚くならざるを得ないので、フィルムが剛直化（ゴワゴワ）して製袋時フィルムがフォーマーに引っ掛かり安定した運転が困難となり、また、横シール時、縦シール部と横シール部の重なる部分でシールの熱が伝わり難くシール不良が発生する虞がある。
【０００７】
本発明は、上記従来の技術の有する未解決の課題に鑑みてなされたものであって、充填包装体を水分感受性酸素バリア樹脂に酸化可能なポリジエンと金属塩触媒を含む酸素吸収層、及び上記酸素吸収層の外側に剛性樹脂層を内側に芳香バリア特性を備えたガスバリア層を有し、最内層にシーラント層を有する積層フィルムで構成することにより、酸素吸収層で内部の酸素を吸収することができ、かつ剛性層で袋自体の剛性を維持することができるとともに、酸素吸収層で副生成物が発生しても発生臭いの成分が芳香バリア特性を備えたガスバリア層で遮断されて内部の食品等の収納物に移行することがない充填包装体を提供することを目的とするものである。
【課題を解決するための手段】
【０００８】
上記目的を達成するため、本発明に係る充填包装体は、積層フィルムを筒状に湾曲して両側端部をオーバーラップさせて重ね合わせた縦シール部と、上記縦シール部の長手方向両端部をそれぞれ交差して形成された横シール部を有する三方シール袋に被充填物が充填された充填包装体において、上記積層フィルムは、水分感受性酸素バリア樹脂に酸化可能なポリジエンと金属塩触媒を含む酸素吸収層、及び上記酸素吸収層の外側に剛性樹脂層を内側に芳香バリア特性を備えたガスバリア層を有する延伸された基材フィルムを共押出しのキャスチングにて構成し、上記基材フィルムの裏面に印刷を付した後、基材フィルムとシーラントフィルムとをドライラミネーションにて接着して、最内層にシーラント層を有することを特徴とするものである。
【０００９】
ここに積層フィルムは、エチレン−ビニルアルコール共重合体、ポリアミド等の水分感受性酸素バリア樹脂に酸化可能なポリジエン（例えば官能性のポリブタジエン）と金属塩触媒を含む酸素吸収層、及び上記酸素吸収層の外側にポリエチレンテレフタレート、ポリブチレンテレフタレート、防湿セロファン、ポリアミド等の剛性樹脂層を内側にエチレン−ビニルアルコール共重合体、ポリアミド等の芳香バリア特性を備えたガスバリア層を有し、最内層にポリエチレン、ポリアミド等のシーラント層を有するものである。
【発明の効果】
【００１０】
本発明に係る充填包装体によれば、酸素吸収層で内部の酸素を吸収することができ、かつ剛性層で袋自体の剛性を維持することができるとともに、酸素吸収層で副生成物が発生しても発生臭いの成分が内部の食品等の収納物に移行することがない。
【００１１】
そして、本発明に係る充填包装体によれば、美麗な印刷性を達成でき、さらに延伸した基材フィルムを使用することにより、剛性その他の機械的強度を向上し、運搬時また使用時の破袋やピンホールを防ぐことができる。
【発明を実施するための最良の形態】
【００１２】
図１は本発明に係る充填包装体の斜視図、図２は本発明に係る充填包装体の製造装置の一例を示す説明図である。
【００１３】
図１に示すように、充填包装体１は、ピロー包装機を用いて積層フィルム１０より製造されたものである。積層フィルム１０は、水分感受性酸素バリア樹脂に酸化可能なポリジエンと金属塩触媒を含む酸素吸収層、及び上記酸素吸収層の外側に剛性樹脂層を内側に芳香バリア特性を備えたガスバリア層を有し、最内層にシーラント層を有しており、１１０〜１８０℃望ましくは１２０〜１３０℃の比較的低温で熱溶着ができ、熱溶着部のシール強度を所定の値に安定して調整することができる。
【００１４】
充填包装体１は、積層フィルム１０を筒状に湾曲させてその両側端部をオーバーラップさせた重ね合わせ部を形成し、この重ね合わせ部における外面側になっている一方の側縁部の先端側に指で摘める程度の幅（１０〜２０ｍｍ）の帯状の非シール部５を残した状態で第１の縦シール部２ａを略平行に形成するとともに、第１の縦シール部２ａの内側（反非シール部側）に略平行に第２の縦シール部２ｂを所定の間隔をおいて形成して筒状体にする。
【００１５】
ついで、前記筒状体に所定量の被充填物を充填し、両横シール部３、４を縦シール部２ａ、２ｂと交差するようにそれぞれ形成して密封する。
【００１６】
縦シール部２ａ、２ｂおよび両横シール部３、４は、充填包装体１から被充填物を取り出すために開封する前には、縦シール部２ａ、２ｂおよび両横シール部３、４が剥離することがなく、開封する際には帯状の非シール部５を指で摘んで引っ張るだけで容易に縦シール部２ａ、２ｂおよび両横シール部３、４が剥離するような凝集剥離易開封性シールからなる。なお、縦シール部２ａ、２ｂのシール幅は１５ｍｍ未満にするとよい。
【００１７】
凝集剥離易開封性シールは、シール層自体が破壊されて剥離するものであって、剥離時に糸引きが生じない。よって、被充填物に混入のおそれがない。また、滑らかな剥離感でシール強度が安定しており、温度依存性が非常に少ない。さらに、剥離面は真っ白な剥離痕が生じる。この真っ白な剥離痕は、シールが適性にできているかどうか剥離により目視確認ができることから、包装工程上でのシール状況の確認にも役立てることができる。その結果、被充填物の信頼性が保たれる。
【００１８】
被充填物は、ケチャップ、マヨネーズ、フラワーペーストなどの粘性物、清涼飲料水などの液体、冷凍餃子などの固形物などである。特に充填時は流動性を有し、包装後の常温または冷蔵時の使用形態においては保形性を維持できる粘性物が充填包装適正に優れる。
【００１９】
積層フィルム１０を構成する酸素吸収層の水分感受性酸素バリア樹脂が、ポリアミド、剛性樹脂層がポリアミド及び／またはエチレン−ビニルアルコール共重合体、芳香バリア特性を備えたガスバリア層がエチレン−ビニルアルコール共重合体、シーラント層はポリエチレンまたはポリプロピレンであり、上記の積層構造を共押出しインフレーション法により一体に成形すると、収納物の酸化劣敗を防ぎ、収納物の臭いの移行もなく袋としての剛性も維持できるので運搬時また使用時、破袋やピンホールのおそれがない。
【００２０】
また、酸素吸収層の水分感受性酸素バリア樹脂がポリアミド、剛性樹脂層がポリエチレンテレフタレート及び／またはポリブチレンテレフタレート、芳香バリア特性を備えたガスバリア層がエチレン−ビニルアルコール共重合体、シーラント層がポリプロピレンであり、上記の積層構造を共押出しインフレーション法により一体に成形することにより、剛性層は剛性とともに酸素バリア性、耐熱性、非水分透過性に優れる。従って、レトルト１３０度以上のレトルト殺菌に耐える包装体を得ることができる。
【００２１】
また、水分感受性酸素バリア樹脂に酸化可能なポリジエンと金属塩触媒を含む酸素吸収層、及び上記酸素吸収層の外側に剛性樹脂層を内側に芳香バリア特性を備えたガスバリア層を有する延伸された基材フィルムを共押出しのキャスチングにて構成し、上記基材フィルムの裏面に印刷を付した後、基材フィルムとシーラントフィルムとをドライラミネーションにて接着することにより、剛性その他の機械的強度を向上し、運搬時また使用時の破袋やピンホールを防ぐことができる。
【００２２】
また、水分感受性酸素バリア樹脂に酸化可能なポリジエンと金属塩触媒を含む酸素吸収層、及び上記酸素吸収層の両側にエチレン−ビニルアルコール共重合体を配置したフィルムを共押出しのキャスチングにて構成し、上記フィルムと剛性樹脂層であるポリエチレンテレフタレート及び／またはポリブチレンテレフタレートをドライラミネーションにて接着し、さらに上記フィルムとシーラントフィルムとをドライラミネーションにて接着することにより、剛性層は剛性とともに酸素バリア性、耐熱性、非水分透過性に優れ、さらに美麗な印刷性を達成することができる。
【００２３】
また、水分感受性酸素バリア樹脂に酸化可能なポリジエンと金属塩触媒を含む酸素吸収層、及び上記酸素吸収層の両側にエチレン−ビニルアルコール共重合体を配置したフィルムを共押出しのキャスチングにて構成し、上記フィルムと剛性樹脂層である芳香族ポリアミドをドライラミネーションにて接着することにより、剛性とともに酸素バリア性、耐熱性のバランスに優れたものが得られる。
【００２４】
また、水分感受性酸素バリア樹脂に酸化可能なポリジエンと金属塩触媒を含む酸素吸収層、及び上記酸素吸収層の両側にエチレン−ビニルアルコール共重合体を配置したフィルムを共押出しのキャスチングにて構成し、上記フィルムと剛性樹脂層である防湿性に優れた延伸ポリエチレンをドライラミネーションにて接着することにより、外側に防湿層を有するので、水分の影響を受けやすい乾燥食品、電子部品、フィッシング用餌等の収納包装体として好適なものが得られる。
【００２５】
次に、本発明に係る充填包装体の製造方法について、本実施例の充填包装体を図２に示すようなピロー包装機１１０を用いて製造する場合を例に挙げて説明する。
【００２６】
（１）図２は、定常運転時における積層フィルム１０の繰り出し完了時を示す。開閉自在なしごきロール１１５を閉じて分離前の充填包装体１ａの上方開放部側をしごいて偏平化したしごき部８に、開閉自在な第１横シール機１１６および第２横シール機１１７からなる横シール機を閉じて上流側から下流側に順次、下方の横シール部４となる領域と上方の横シール部３となる領域の易開封性シール強度の溶着部を形成し、開閉自在なプレス兼カッタ１１８を開いて、製造された充填包装体１をコンベア１３０上に落下させている。
【００２７】
第１横シール機１１６および第２横シール機１１７は、それぞれ独立して溶着条件を設定することができる。第１横シール機１１６および第２横シール機１１７をほぼ同一の溶着圧力とし、第１横シール機１１６の溶着温度と第２横シール機１１７の溶着温度は凝集剥離易開封性シールが得られる温度に設定することにより、易開封性を有する上方の横シール部３となる領域および下方の横シール部４となる領域を同時に形成する。
【００２８】
（２）上記（１）ののち、ホッパ１１１より所定量の被充填物Ｗを投入して筒状体７内に逐次充填する。
【００２９】
（３）しごきロール１１５、第１横シール機１１６および第２横シール機１１７を開いたのち、送りロール１１４を回転させることにより、分離前の充填包装体１ａとともに筒状体７およびこれに続く積層フィルム１０を所定の長さだけ繰り出す。
【００３０】
繰り出された積層フィルム１０は、複数の繰り出しロール１２０、１２１を経てフォーマ１１２に導かれ、フォーマ１１２を通過する間に筒状に湾曲されて両側縁部がオーバーラップされた重ね合わせ部６（図２参照）が形成される。ついで、この重ね合わせ部６が縦シール機１１３を通る間に熱溶着されて、易開封性シール強度を有する縦シール部２ａ、２ｂが、つまみ片となる帯状の非シール部５を残した内側部位に略平行に形成されて連続した筒状体７が形成される。
【００３１】
一方、筒状体７の被充填物Ｗが充填された部分がしごきロール１１５を通過した時点において、しごきロール１１５を閉じて筒状体７における充填された被充填物Ｗの上流側をしごいて偏平化させ、しごき部８を形成する。
【００３２】
（４）第１横シール機１１６および第２横シール機１１７を閉じて、しごき部８を熱溶着することにより、上方の横シール部３となる領域と下方の横シール部４となる領域とからなる溶着部を形成して分離前の充填包装体１ａを製造する。
【００３３】
（５）プレス兼カッタ１１８を閉じて分離前の充填包装体１ａが接続されている溶着部である下方の横シール部４となる領域および上方の横シール部３となる領域とを挟圧するとともに両者の境界を二分割して充填包装体１をコンベア１３０上へ落下させる。
【図面の簡単な説明】
【００３４】
【図１】本発明に係る充填包装体の斜視図である。
【図２】本発明に係る充填包装体の製造装置の一例を示す説明図である。
【符号の説明】
【００３５】
１  充填包装体
２ａ、２ｂ  縦シール部
３、４  横シール部
５  帯状の非シール部
【図１】
0004809953.tif 000002
【図２】
0004809953.tif 000003